(57)【特許請求の範囲】
【請求項１】
第一ガイド機構を備える第一パネルと、
第一方向に沿って前記第一ガイド機構に摺動可能に接続され、且つ、前記第一パネル内に収納され且つ前記第一パネルに重なる第一位置または少なくとも一部が前記第一パネルからずれた第二位置に摺動するように前記第一ガイド機構によってガイドされることができる第一スライダと、
第二ガイド機構を備える第二パネルと、
前記第二パネル内に収納され、前記第一方向と平行する第二方向に沿って前記第二ガイド機構に摺動可能に接続され、且つ、前記第一パネルに近接する第三位置または前記第一パネルから離れた第四位置に摺動するように前記第二ガイド機構によってガイドされることができる第二スライダと、
前記第一スライダと前記第二スライダとの間に設けられる第一エラストマーとを、備え、
前記第一スライダが第一位置に位置し、且つ、前記第二スライダが第四位置に位置する場合、前記第一パネルと前記第二パネルが重なり合い、前記第一エラストマーが、前記第一スライダと前記第二スライダを第一パネルから第二パネルへの方向に互に近づかせる弾性力を提供しており、前記第一スライダが第二位置に位置し、且つ、前記第二スライダが第三位置に位置する場合、前記第一パネルと前記第二パネルが前記弾性力によって並列されることを特徴とするフレキシブルスクリーン拡張構造。
【請求項２】
前記第一パネルは、第一内側壁と前記第一内側壁に対向して設けられた第一外側壁とを備えており、前記第一スライダは、前記第一位置に摺動する場合、前記第一内側壁と前記第一外側壁との間に位置しており、前記第一スライダは、前記第二位置に摺動する場合、少なくとも一部が前記第一内側壁における前記第一外側壁から離れた側に位置し、
前記第二パネルは、第二内側壁と前記第二内側壁に対向して設けられた第二外側壁とを備えており、前記第三位置と前記第四位置が前記第二内側壁と前記第二外側壁との間にあり、前記第三位置が前記第二内側壁に近接し、前記第四位置が前記第二外側壁に近接することを特徴とする請求項１に記載のフレキシブルスクリーン拡張構造。
【請求項３】
前記第一ガイド機構が、前記第一内側壁から前記第一外側壁への方向に延びる第一スライド溝を備え、前記第一スライダが前記第一スライド溝に摺動可能に接続され、前記第二ガイド機構が、前記第二内側壁から前記第二外側壁への方向に延びる第二スライド溝を備え、前記第二スライダが前記第二スライド溝に摺動可能に接続されることを特徴とする請求項２に記載のフレキシブルスクリーン拡張構造。
【請求項４】
前記第一パネルが、前記第一内側壁と前記第一外側壁との間に位置する第一上表面を備え、前記第二パネルが、前記第二内側壁と前記第二外側壁との間に位置する第二上表面を備え、前記第一パネルと前記第二パネルが並列される場合、前記第一上表面と前記第二上表面が揃えられることを特徴とする請求項３に記載のフレキシブルスクリーン拡張構造。
【請求項５】
前記第一内側壁と前記第一上表面が鈍角を成し、前記第二内側壁が前記第一内側壁と平行し、前記第二内側壁が前記第一内側壁に当接し且つ相対摺動可能に設けられることができることにより、前記第一上表面と前記第二上表面が揃えられることを特徴とする請求項４に記載のフレキシブルスクリーン拡張構造。
【請求項６】
前記第一パネルが前記第一上表面に対向して設けられた第一下表面をさらに備え、前記第二パネルが前記第二上表面に対向して設けられた第二下表面をさらに備え、前記第二下表面に溝が設けられ、前記第一スライダの少なくとも一部が前記第一スライド溝外に摺動し、前記溝内に収納され、前記第一上表面と前記第二上表面が揃えられ、前記第一下表面と前記第二下表面が揃えられることを特徴とする請求項４に記載のフレキシブルスクリーン拡張構造。
【請求項７】
前記第一パネルに第一ガイド溝が設けられ、前記第一ガイド溝が前記第一パネルと平行する方向に延び、前記第二パネルに第二ガイド溝が設けられ、前記第二ガイド溝が前記第二パネルと平行する方向に延び、前記第一エラストマーは、前記第一スライダに近接する端が前記第一ガイド槽内に摺動可能に接続され、前記第二スライダに近接する端が前記第二ガイド溝内に摺動可能に接続されることを特徴とする請求項１に記載のフレキシブルスクリーン拡張構造。
【請求項８】
第三ガイド機構をさらに備え、前記第三ガイド機構が前記第一スライダと前記第二スライダとの間に接続され、前記第一スライダと前記第二スライダを前記第一パネルに垂直な方向に互いに相対摺動させることを特徴とする請求項１に記載のフレキシブルスクリーン拡張構造。
【請求項９】
前記第三ガイド機構が第一レバーを備え、前記第一レバーが第一回転端と前記第一回転端に対向して設けられる第一摺動端とを備え、前記第一回転端が前記第一スライダに回転可能に接続され、前記第一摺動端が前記第二スライダに摺動可能に接続され、前記第一レバーの回転面は前記第一スライダが前記第二スライダに近づく方向と平行することを特徴とする請求項８に記載のフレキシブルスクリーン拡張構造。
【請求項１０】
前記第三ガイド機構が第二レバーを備え、前記第二レバーが第二回転端と前記第二回転端に対向して設けられる第二摺動端とを備え、前記第二回転端が前記第二スライダに回転可能に接続され、前記第二摺動端が前記第一スライダに摺動可能に接続され、前記第二レバーの回転面は前記第二スライダが前記第一スライダに近づく方向と平行することを特徴とする請求項８または９に記載のフレキシブルスクリーン拡張構造。
【請求項１１】
前記第一ガイド機構が第二エラストマーを備え、前記第二エラストマーは、前記第一スライダと前記第一パネルとの間に接続され、前記第一スライダを前記第一位置または第二位置に摺動させる押圧力を提供するためのものであることを特徴とする請求項１に記載のフレキシブルスクリーン拡張構造。
【請求項１２】
前記第二ガイド機構が第三エラストマーを備え、前記第三エラストマーは、前記第二パネルと前記第二スライダとの間に接続され、前記第二スライダを前記第三位置または第四位置に摺動させる押圧力を提供するためのものであることを特徴とする請求項１または１１に記載のフレキシブルスクリーン拡張構造。
【請求項１３】
前記第一エラストマーがトルクスプリングであることを特徴とする請求項１に記載のフレキシブルスクリーン拡張構造。
【請求項１４】
請求項１〜１３のいずれかに記載のフレキシブルスクリーン拡張構造とフレキシブルディスプレイスクリーンとを備え、前記フレキシブルディスプレイスクリーンは第一エッジと前記第一エッジに対向して設けられた第二エッジとを備え、前記第一エッジが前記第一パネルに固定され、前記第二エッジが前記第二パネルに固定されることを特徴とするフレキシブルスクリーンアセンブリ。
【請求項１５】
請求項１４に記載のフレキシブルスクリーンアセンブリと、電池と、信号入力器と、中央処理装置とを備え、前記電池、信号入力器及び前記中央処理装置がいずれも前記フレキシブルスクリーンアセンブリに取り付けられ、前記信号入力器は、前記中央処理装置に電気的に接続され、信号を受信し且つ前記中央処理装置に信号を送信するためのものであり、前記フレキシブルスクリーンアセンブリは、前記中央処理装置に電気的に接続され、前記中央処理装置から信号を受信し且つ外部に信号を出力するためのものであり、前記中央処理装置は、前記信号入力器から信号を受信し、信号処理後、前記信号出力器に送信するためのものであり、前記電池は、前記中央処理装置、前記フレキシブルスクリーンアセンブリ及び前記信号入力器に電力を提供することを特徴とする端末。
【発明の詳細な説明】
【技術分野】
【０００１】
本発明は、表示デバイスに関し、特に、フレキシブルスクリーン拡張構造、フレキシブルスクリーンアセンブリ及び端末に関する。
【背景技術】
【０００２】
従来の端末の表示デバイスは、表示サイズに対する要求がますます厳しくなっている。伝統的な表示デバイスは、スクリーンサイズの影響を受け、制約されることが多いため、通常、スクリーンが大きい表示デバイスは、携帯性が良くない欠点がある。例えば、タブレットコンピュータは、表示サイズが要求を満たすことができるが、普通、コンピュータ用バッグに入れられる必要があり、携帯電話のようにポケットに入れられることができない。しかしながら、携帯性が良い表示デバイスは、充分に大きい表示デバイスが不可能であり、例えば、携帯電話は、ポケットに入れられることが便利であるが、表示サイズが充分に大きくされることができない。このため、スクリーンサイズが充分に大きく、携帯に便利な表示デバイスは必要である。
【発明の概要】
【０００３】
本発明は、表示サイズが充分に大きく且つ携帯に便利なフレキシブルスクリーン拡張構造、フレキシブルスクリーンアセンブリ及び端末を提供することを目的とする。
【０００４】
上記課題を解決するために、本発明は、第一ガイド機構を備える第一パネルと、第一方向に沿って前記第一ガイド機構に摺動可能に接続され、且つ、前記第一パネルに重なる第一位置または少なくとも一部が前記第一パネルからずれた第二位置に摺動するように前記第一ガイド機構によってガイドされることができる第一スライダと、第二ガイド機構を備える第二パネルと、前記第一方向と平行する第二方向に沿って前記第二ガイド機構に摺動可能に接続され、且つ、前記第一パネルに近接する第三位置または前記第一パネルから離れた第四位置に摺動するように前記第二ガイド機構によってガイドされることができる第二スライダと、前記第一スライダと前記第二スライダとの間に設けられる第一エラストマーとを、備え、前記第一スライダが第一位置に位置し、且つ、前記第二スライダが第四位置に位置する場合、前記第一パネルと前記第二パネルが重なり合い、前記第一エラストマーが、前記第一スライダと前記第二スライダを第一パネルから第二パネルへの方向に互に近づかせる弾性力を提供しており、前記第一スライダが第二位置に位置し、且つ、前記第二スライダが第三位置に位置する場合、前記第一パネルと前記第二パネルが前記弾性力によって並列されるフレキシブルスクリーン拡張構造を提供する。
【０００５】
本発明は、上記フレキシブルスクリーン拡張構造とフレキシブルディスプレイスクリーンとを備え、前記フレキシブルディスプレイスクリーンは、第一エッジと前記第一エッジに対向して設けられた第二エッジとを備え、前記第一エッジが前記第一パネルに固定され、前記第二エッジが前記第二パネルに固定されるフレキシブルスクリーンアセンブリをさらに提供する。
【０００６】
本発明は、上記フレキシブルスクリーンアセンブリと、電池と、信号入力器と、中央処理装置とを備え、前記電池、信号入力器及び前記中央処理装置がいずれも前記フレキシブルスクリーンアセンブリに取り付けられ、前記信号入力器は、前記中央処理装置に電気的に接続され、信号を受信し且つ前記中央処理装置に信号を送信するためのものであり、前記フレキシブルスクリーンアセンブリは、前記中央処理装置に電気的に接続され、前記中央処理装置から信号を受信し且つ外部に信号を出力するためのものであり、前記中央処理装置は、前記信号入力器から信号を受信し、信号処理後、前記信号出力器に送信するためのものであり、前記電池は、前記中央処理装置、前記フレキシブルスクリーンアセンブリ及び前記信号入力器に電力を提供する端末をさらに提供する。
【０００７】
本発明のフレキシブルスクリーン拡張構造、フレキシブルスクリーンアセンブリ及び端末は、前記第一スライダが前記第一位置または第二位置に摺動することができ、前記第二スライダが前記第三位置または第四位置に摺動することができ、且つ、前記第一エラストマーが前記第一スライダと前記第二スライダを互に近づかせ、さらに、前記第一パネルが第二パネルに重なることにより、表示デバイスは、サイズが低減され、携帯に便利であり、また、前記第一パネルと前記第二パネルが揃えられるように並列されることにより、表示デバイスは、サイズが増大され、そして、表示サイズが増大される。
【図面の簡単な説明】
【０００８】
本発明の技術手段を一層明瞭に説明するために、以下、本発明の実施形態に必要な添付図面が簡単に紹介される。以下に説明される添付図面は、本発明の一部の実施形態に関するものだけであることが明らかであり、当業者にとって、創造的な労働なしに、これらの図面から他の図面を得ることができる。
【図１】図１は、第一実施形態に係るフレキシブルスクリーン拡張構造の分解概略図である。
【図２】図２は、別の視角から見た図１のフレキシブルスクリーン拡張構造の分解概略図である。
【図３】図３は、図１のフレキシブルスクリーン拡張構造の第一スライダ及び第二スライダの組み立て概略図である。
【図４】図４は、図１のフレキシブルスクリーン拡張構造の第一エラストマーの概略図である。
【図５】図５は、図１のフレキシブルスクリーン拡張構造の第一パネルが第二パネルに対して開けられる概略図である。
【図６】図６は、図１のフレキシブルスクリーン拡張構造の第一パネルが第二パネルに重なる概略図である。
【図７】図７は、図１のフレキシブルスクリーン拡張構造の第一スライダが前記第一パネルに対して第二位置に摺動する概略図である。
【図８】図８は、図１のフレキシブルスクリーン拡張構造の第一スライダが前記第一パネルに対して第一位置に摺動する概略図である。
【図９】図９は、図１のフレキシブルスクリーン拡張構造の第二スライダ及び第二パネルの組み立て概略図である。
【図１０】図１０は、第二実施形態に係るフレキシブルスクリーン拡張構造の第一ガイド機構の概略図である。
【図１１】図１１は、第三実施形態に係るフレキシブルスクリーン拡張構造の第一ガイド機構の概略図である。
【発明を実施するための形態】
【０００９】
以下、本発明の実施形態に係る添付図面を参照しながら、本発明の実施形態に係る技術手段については、明瞭に、完全に説明する。
【００１０】
図１、図２及び図３を参照すると、本発明の実施形態は、フレキシブルスクリーン拡張構造１００を提供する。前記フレキシブルスクリーン拡張構造１００は、
第一ガイド機構１０ａを備える第一パネル１０と、
【００１１】
第一方向に沿って前記第一ガイド機構１０ａに摺動可能に接続され、且つ、前記第一パネル１０に重なる第一位置または少なくとも一部が前記第一パネル１０からずれた第二位置に摺動するように前記第一ガイド機構１０ａによってガイドされることができる第一スライダ２０と。
【００１２】
前記第一方向と平行する第二方向に沿って前記第二ガイド機構２０ａに摺動可能に接続され、且つ、前記第一パネル１０に近接する第三位置または前記第一パネル１０から離れた第四位置に摺動するように前記第二ガイド機構２０ａによってガイドされることができる第二スライダ４０と。
【００１３】
前記第一スライダ２０と前記第二スライダ４０との間に設けられる第一エラストマー５０とを、備え、
【００１４】
前記第一スライダ２０が第一位置に位置し、且つ、前記第二スライダ４０が第四位置に位置する場合、前記第一パネル１０と前記第二パネル３０が重なり合い、前記第一エラストマー５０が、前記第一スライダ２０と前記第二スライダ４０を第一パネル１０から第二パネル３０への方向に互に近づかせる弾性力を提供しており、前記第一スライダ２０が第二位置に位置し、且つ、前記第二スライダ４０が第三位置に位置する場合、前記第一パネル１０と前記第二パネル３０が前記弾性力によって並列される。
【００１５】
前記第一スライダ２０が前記第一位置または第二位置に摺動することができ、前記第二スライダ４０が前記第三位置または第四位置に摺動することができ、且つ、前記第一エラストマー５０が前記第一スライダ２０と前記第二スライダ４０を互に近づかせ、さらに、前記第一パネル１０が第二パネル３０に重なることにより、表示デバイスは、サイズが低減され、携帯に便利であり、また、前記第一パネル１０と前記第二パネル３０が揃えられるように並列されることにより、表示デバイスは、サイズが増大され、そして、表示サイズが増大される。
【００１６】
前記第一パネル１０と前記第二パネル３０は、いずれも、フレキシブルスクリーンを支持する支持部材であることができ、且つ、前記第一パネル１０と前記第二パネル３０は、いずれも、フレキシブルスクリーンと重なることができるため、フレキシブルスクリーンの形状が一定にされ、フレキシブルスクリーンにタッチ操作が行われることができ、或いは、前記第一パネル１０と前記第二パネル３０が並列される場合、フレキシブルスクリーンは、前記第一パネル１０と前記第二パネル３０に広げられることができ、平面ディスプレイスクリーン構造を呈する。
【００１７】
本実施形態において、前記第一ガイド機構１０ａは、前記第一パネル１０に設けられたスライド溝であってもよく、前記第一パネル１０に設けられたガイドレールであってもよく、前記第一パネル１０に設けられたスロット又は挿入孔であってもよい。前記第一ガイド機構１０ａは、前記第一スライダ２０が前記第一方向に沿って前記第一パネル１０に対して摺動するようにガイドすることができる。前記第一方向は、前記第一パネル１０におけるフレキシブルスクリーンを支持する表面と平行する。前記第一スライダ２０が第一位置に位置する場合、前記第一ガイド機構１０ａは、前記第一スライダ２０が前記第一パネル１０の支持面を拡張するようにガイドすることができる。
【００１８】
本実施形態において、前記第二ガイド機構２０ａは、前記第二パネル３０に設けられたスライド溝であってもよく、前記第二パネル３０に設けられたガイドレールであってもよく、前記第二パネル３０に設けられたスロット又は挿入孔であってもよい。前記第二ガイド機構２０ａは、前記第二スライダ４０が前記第二方向に沿って前記第二パネル３０に対して摺動するようにガイドすることができる。前記第二方向は、前記第二パネル３０におけるフレキシブルスクリーンを支持する表面と平行する。前記第二方向が前記第一方向と平行し、つまり、前記第二パネル３０が前記第一パネル１０に対して摺動することができるため、前記第二パネル３０は、前記第一パネル１０に重なり、或いは、前記第一パネル１０からずれることができる。つまり、前記第二ガイド機構２０ａは、前記第二スライダ４０が前記第二パネル３０に対して摺動すると共に、前記第二パネル３０が前記第一パネル１０に対して摺動するようにガイドする。
【００１９】
本実施形態において、第一実施例としては、前記第一パネル１０は、第一内側壁１１と、前記第一内側壁１１に対向して設けられた第一外側壁１２と、前記第一内側壁１１と前記第一外側壁１２との間に位置する第一上表面１３とを備える。前記第一パネル１０は、前記第一上表面１３から離れた側に設けられた第一スライド溝１４をさらに備え、前記第一スライド溝１４が前記第一内側壁１１から前記第一外側壁１２へ延び、前記第一スライド溝１４の延在方向が前記第一上表面１３と平行する。
【００２０】
前記第一スライダ２０は、接続部２１と載置部２２とを備え、前記接続部２１が前記第一スライド溝１４内に摺動可能に接続され、前記載置部２２が前記接続部２１の一方の側に固定され、且つ、前記第一スライド溝１４内または前記第一スライド溝１４外に摺動することができる。
【００２１】
前記第二スライダ４０は、前記載置部２２に対向して設けられ、前記第一スライダ２０における前記第一上表面１３から離れた側に位置し、前記第一上表面１３に垂直な方向に沿って、前記第一スライダ２０から離れ、または前記第一スライダ２０に近づくことができる。
【００２２】
前記第一エラストマー５０は、前記載置部２２と前記第二スライダ３０との間に接続され、前記第二スライダ４０を前記載置部２２に近づかせる回復力を提供するためのものである。
【００２３】
前記第二パネル３０は、第二内側壁３１と、前記第二内側壁３１に対向して設けられた第二外側壁３２と、前記第二内側壁３１と前記第二外側壁３２との間に位置する第二上表面３３とを備え、前記第二上表面３３が前記第一上表面１３と平行する。前記第二パネル４０は、前記第二外表面３３から離れた側に設けられた第二スライド溝３４をさらに備え、前記第二スライド溝３４が前記第二内側壁３１から前記第二外側壁３２へ延び、前記第二スライド溝３４の延在方向が前記第一スライド溝１４の延在方向と平行し、前記第二スライダ４０が前記第二スライド溝３４内に摺動可能に接続される。
【００２４】
前記載置部２２が前記第一スライド溝１４外に摺動する場合、前記載置部２２が前記第一パネル１０に対してすれ、つまり、前記第一スライダ２０は、前記第二位置に摺動し、前記第一エラストマー５０の弾性力によって前記第二スライダ４０に近づく。同時に、前記第二スライダ４０が、第二パネル３０の第二内側壁３１に近づくように摺動し、つまり、前記第二パネル３０における前記第一パネル１０に近接する箇所に摺動する。即ち、前記第二スライダ４０が前記第三位置に摺動する場合、前記第二パネル３０が前記第一パネル１０に対して開けられ、つまり、前記第二パネル３０と前記第一パネル１０が並列される。前記第二内側壁３１が前記第一内側壁１１に密接することができ、且つ、前記第二上表面３３と前記第一上表面１３が揃えられる。
【００２５】
前記載置部２２が前記第一スライド溝１４内に摺動する場合、前記載置部２２が前記第一パネル１０に重なり、つまり、前記第一スライダ２０が前記第一位置に摺動し、前記第二スライダ４０が第二パネル３０の第二外側壁３２に近づくように摺動し、つまり、前記第二スライダ４０が前記第二パネル３０における第一パネル１０から離れた箇所に摺動する。即ち、前記第二スライダ４０が前記第四位置に摺動する場合、前記第二スライダ４０が前記第一パネル１０に重なることにより、前記第二パネル３０と前記第一パネル１０が重なり合う。
【００２６】
本実施例において、前記第一パネル１０は矩形板状を呈する。具体的には、前記第一パネル１０がハウジングであり、前記第一パネル１０が中空であるため、第一収納室（図示せず）が形成される。前記第一収納室の開口端が前記第一内側壁１１に設けられることにより、前記第一スライダ２０は該開口端から第一収納室１０１内に収納されることができる。前記第一収納室１０１内には、二つ第一ガイドバー１０２が収納される。前記第一ガイドバー１０２は、前記第一収納室の内壁に固定され、前記第一内側壁１１に沿って前記第一外側壁１２へ延びる。前記第一スライド溝１４は、前記二つの第一ガイドバー１０２の間に設けられる。前記第一スライド溝１４は、挿入孔（図示せず）が前記第一内側壁１１に設けられる。前記第一スライダ２０は前記第一収納室１０１の開口端から前記第一スライド溝１４内に挿入されることができると理解すべきである。他の実施形態において、前記第一スライド溝１４は、前記第一内側壁１１と前記第一外側壁１２を貫通するスルーホールであってもよい。
【００２７】
本実施例において、前記第一スライダ２０は矩形板状を呈する。前記第一スライダ２０は、前記第一上表面１３と平行する。前記第一スライダ２０は、前記第一位置に摺動する場合、前記第一内側壁１１と前記第一外側壁１２との間に位置する。前記第一スライダ２０は、前記第二位置に摺動する場合、少なくとも一部が前記第一内側壁１１における前記第一外側壁１２から離れた側に位置する。具体的には、前記第一スライダ２０は、前記第一スライド溝１４内に挿入されることができ、前記接続部２１と前記載置部２２は一体になって設けられる。前記接続部２１が前記第一スライド溝１４の挿入孔から離れる場合、前記載置部２２が前記第一スライド溝１４内に摺動し、且つ、前記第一スライド溝１４の挿入孔に近接し、つまり、前記第一内側壁１１に近接する。前記接続部２１が前記第一スライド溝１４の挿入孔に近づく場合、前記載置部２２が前記第一スライド溝１４外に摺動する。他の実施形態において、前記第一スライダは、ロッドであってもよく、前記接続部と前記載置部がそれぞれ前記第一スライダの両端に設けられる。
【００２８】
本実施例において、前記第二スライダ４０は矩形板状を呈する。前記第二スライダ４０は、前記第一スライダ２０と平行する。前記第二スライダ４０は、前記第一スライダ２０とともに前記第一パネル１０に対して摺動することができる。前記載置部２２が前記第一スライド溝１４内に位置し、且つ、前記第二パネル３０が前記第二パネル３０に垂直な方向に前記載置部２２から離れるように前記第二パネル３０に外力が印加される場合、前記第二パネル３０が前記第一上表面３０に重なる。前記載置部２２が前記第一スライド溝１４外に摺動し、且つ、前記第二スライダ４０が前記第一エラストマー５０の弾性力によって前記載置部２２に近づく場合、前記第二スライダ４０が前記第一内側壁１１における前記第一外側壁１２から離れた側に位置し、前記第二スライダ４０が前記第二パネル３０を連れて前記第二パネル３０に垂直な方向に前記第一パネル１０に近づき、その結果、前記第二パネル３０と第一パネル１０が並列される。他の実施形態において、前記第二スライダは、ロッドであってもよく、スライドブロックであってもよい。
【００２９】
本実施例において、前記第一エラストマー５０は矩形スプリングであってもよく、トルクスプリングであってもよく、ワイヤスプリングであってもよい。具体的には、前記第一エラストマー５０がトルクスプリングであり、前記第一エラストマー５０が予め圧縮された状態にあり、前記第二スライダ４０を前記載置部２２に当接させる。前記第二スライダ４０または前記第一スライダ２０に外力が印加されてこそ、前記第二スライダ４０が前記第一スライダ２０から離れることができ、外力が除去された後、前記第二スライダ４０が前記第一エラストマー５０の回復力によって前記第一スライダ２０に近づく。他の実施形態において、前記第一エラストマーは、前記第二スライダと前記載置部との間に接続された伸縮ロッドを包接する矩形スプリングであってもよい。
【００３０】
本実施例において、前記第二パネル３０は矩形板状を呈する。前記第二パネル３０の形状が前記第一パネル１０と同様である。前記第三位置と前記第四位置が前記第二内側壁３１と前記第二外側壁３２との間にあり、前記第三位置が前記第二内側壁３１に近接し、前記第四位置が前記第二外側壁３２に近接する。前記第二パネル３０は前記第一パネル１０と平行する。具体的には、前記第二パネル３０がハウジングであり、前記第二パネル３０が中空であるため、第二収納室３０１が形成される。前記第二収納室３０１の開口端が前記第二内側壁３１に設けられることにより、第二スライダ４０は該開口端から第二収納室３０１内に収納されることができる。前記第二収納室３０１内には、二つの第二ガイドバー３０２が収納される。前記第二ガイドバー３０２は、前記第二収納室３０１の内壁に固定され、前記第二内側壁３１に沿って前記第二外側壁３２へ延びる。前記第二スライド溝３４は、前記二つのガイドバー３０２の間に設けられる。前記第二スライダ４０は、前記第二内側壁３１と前記第二外側壁３２との間に往復摺動する。前記第二スライダ４０が前記第二内側壁３１に近づき、つまり、前記第二スライダ４０が前記第三位置に摺動し、且つ、前記第二スライダ４０が前記第一エラストマー５０の弾性力によって前記第一スライダ２０の載置部２２に近づく場合、図５に示すように、前記第二面板３０が前記第一内側壁１１における前記第一外側壁１２から離れた側に位置し、前記第二上表面３３と前記第一上表面１３が揃えられる。前記第二スライダ４０が前記第二外側壁３２に近づき、つまり、前記第二スライダ４０が前記第四位置に摺動する場合、前記第二パネル３０の第二内側壁が前記第一上表面１３における第一内側壁１１に近接する箇所に位置し、前記第一スライダ２０の載置部が前記第一スライド溝１４内に摺動し、図６に示すように、前記第一パネル２０の第一上表面１３が前記第二パネル４０における前記第二上表面３３から離れた表面と重なり合う。前記第二パネル３０は、上下二枚のカバープレートから構成され、前記第二収納室３０１が二つのカバープレートの間に設けられてもよく、二つのカバープレートが離間されることにより、前記第二ガイドバー３０２が取り付けられ、前記第二スライダ４０が前記第二スライド溝３４内に挿入されることができると理解すべきである。他の実施形態において、前記第二スライド溝３４は、前記第二内側壁３１と前記第二外側壁３２を貫通するスルーホールであってもよい。
【００３１】
さらに、本実施例において、前記第一パネル１０は、前記第一上表面１３に対向して設けられた第一下表面１５をさらに備える。前記第二パネル３０は、前記第二上表面３３に対向して設けられた第二下表面３５をさらに備える。前記第二下表面３５には、溝３５１が設けられ、前記第一スライダ２０の載置部２２が前記第一スライド溝１４外に摺動し、つまり、前記第一スライダ２０の少なくとも一部が前記第一スライド溝１４外に摺動し、前記第一スライダ２０の載置部２２が前記溝３５１内に収納され、前記第一上表面１３と前記第二上表面４３が揃えられ、前記第一下表面１５と前記第二下表面３５が揃えられる。
【００３２】
本実施例において、前記第一パネル１０は、厚さが前記第二パネル３０と同様である。前記第一スライダ２０の載置部２２が前記第一スライド溝１４外に摺動する場合、前記第二スライダ４０が前記第一スライダ２０の載置部２２に近づき、前記第二パネル３０と前記第一パネル１０が並列される。前記第一スライダ２０の載置部２２が前記溝３５１内に収納され、且つ、前記第一下表面１５と前記第二下表面３５が揃えられることにより、前記第一パネル１０と前記第二パネル３０が表面が平らなパネルになるように並列されるため、フレキシブルスクリーンの支持部材が大きいサイズを得ることができ、且つ、フレキシブルスクリーンが平らに支持部材に置かれることができる。
【００３３】
さらに、図７、図８及び図９を参照すると、本実施例において、前記第一パネル１０の第一上表面１３には、第一スライド溝１４が貫通する第一ガイド溝１３１が設けられ、前記第一ガイド溝１３１が前記第一パネル１０と平行する方向に延びる。前記第一スライダ２０の載置部２２は、前記第一スライド溝１４内に摺動する。前記第一エラストマー５０は、前記第一スライダ２０に近接する端が前記第一ガイド槽１３１内に摺動可能に接続される。前記第二パネル３０には、第二ガイド溝３３１が設けられ、前記第二ガイド溝３３１が前記第二パネル３０と平行する方向に延びる。前記第一エラストマー５０は、前記第二スライダ４０に近接する端が前記第二ガイド溝３３１内に摺動可能に接続される。具体的には、前記溝３５１には、前記第二ガイド溝３３１が設けられる。前記第二パネル３０が前記第一パネル１０に対して摺動する場合、前記第一エラストマー５０は、前記第二スライダ４０に近接する端が前記第二ガイド溝３３１内に摺動可能に接続される。
【００３４】
本実施例において、前記第一ガイド溝１３１の延在方向は、前記第一スライダ２０の摺動方向と平行する。前記第一ガイド溝１３１は、前記第一内側壁１１に開口（図示せず）が設けられる。前記第一エラストマー５０は、前記第一スライダ２０に近接する端が前記開口から前記第一ガイド槽１３１内または前記第一ガイド槽１３１外に摺動し、さらに、前記第一スライダ２０を順調に摺動させる。同様に、前記第二ガイド溝３３１の延在方向は、前記第二スライダ４０の摺動方向と平行する。前記第二ガイド溝３３１は、前記第二内側壁３１に開口が設けられる。前記第一エラストマー５０は、前記開口から前記第二ガイド溝３３１内に摺動する。前記第二ガイド溝３３１における前記第二内側壁３１から離れた箇所には、ストッパ（図示せず）が設けられもよいと理解すべきである。前記第一エラストマー５０が前記第二ガイド溝３３１に沿って摺動し、前記ストッパに当接する場合、前記ストッパは、前記第二パネル３０が前記第一パネル１０の第一外側壁１２へ移動するように押すことにより、前記ストッパは、前記第一エラストマー５０が前記第一外側壁１２へ移動するように押し、それによって、前記第一スライダ２０が前記第一スライド溝１４内に摺動する。このため、前記第一パネル１０と前記第二パネル４０が重なり合うことを容易にし、前記フレキシブルスクリーン拡張構造１００は、省力化を図り、構造が安定である。
【００３５】
さらに、前記第一内側壁１１と前記第一上表面１３が鈍角を成し、前記第二内側壁３１が前記第一内側壁１１と平行し、前記第二内側壁３１が前記第一内側壁１１に当接し且つ相対摺動可能に設けられることができることにより、前記第一上表面１３と前記第二上表面３３が揃えられる。
【００３６】
本実施例において、前記第一スライダ２０が前記第二位置へ摺動し、つまり、前記載置部２２が第一スライド溝１４外に摺動する場合、前記第二パネル３０の第二内側壁３１が前記第一上表面１３の上で前記第一内側壁１１のエッジへ摺動する。前記第一スライダ２０が前記第二位置に摺動する場合、前記第二内側壁３１が前記第一内側壁１１のエッジに摺動する。前記第一内側壁１１と前記第一上表面１３が鈍角を成すとともに、前記第二内側壁３１が第一内側壁１１と平行するため、前記第二内側壁３１が前記第一エラストマー５０の力によって前記第一内側壁１１に対して自動的に摺動することができ、さらに、前記第二上表面３３が前記第一上表面１３に自動的に近づき、その結果、前記第二上表面３３と前記第一上表面１３が揃えられる。このため、フレキシブルスクリーン拡張構造１００は、省力化を図り、構造が安定である。
【００３７】
さらに、図３と図４を参照すると、前記フレキシブルスクリーン拡張構造１００は、第三ガイド機構６０をさらに備える。前記第三ガイド機構６０は、前記第一スライダ２０と前記第二スライダ４０との間に接続され、前記第一スライダ２０と前記第二スライダ３０を前記第一パネル１０に垂直な方向に互いに相対摺動させる。
【００３８】
本実施例において、前記第三ガイド機構６０は、第一レバー６１と第二レバー６２とを備える。前記第一レバー６１は、第一回転端６１１と前記第一回転端６１１に対向して設けられる第一摺動端６１２とを備える。前記第一回転端６１１は、前記第一スライダ２０の載置部２２に回転可能に接続される。前記第一摺動端６１２は、前記第二スライダ４０に摺動可能に接続される。前記第一レバー６１の回転面は、前記第一上表面１３に垂直である。前記第二レバー６２は、第二回転端６２１と前記第二回転端６２１に対向して設けられる第二摺動端６２２とを備える。前記第二回転端６２１は、前記第二スライダ４０に回転可能に接続され、前記第一回転端６１１に対向して設けられる。前記第二摺動端６２２は、前記第一スライダ２０の載置部２２に摺動可能に接続され、前記第一摺動端６１２に対向して設けられる。前記第二レバー６２の回転面が前記第一レバー６１の回転面と平行する。
【００３９】
本実施例において、前記第一スライダ２０の載置部２２における前記第一下表面１５から離れた側には、第一回転軸２２１と第一係止溝２２が設けられる。前記第一回転軸２２１の軸方向は、前記第一パネル１０と平行し、且つ、前記第一スライダ２０の摺動方向に垂直である。前記第一レバー６１の第一回転端６１１は、前記第一回転軸２２１に回転可能に接続される。前記第一係止溝２２２は、前記第一回転軸２２１の一方の側に位置する。前記第一係止溝２２２の延在方向は、前記第一スライダ２０の摺動方向と平行し、且つ、前記第一レバー６１の回転面内に位置する。前記第二摺動端６２２は、前記第一係止溝２２２内に摺動可能に接続される。前記第二スライダ４０における前記第二上表面３３から離れた側には、第二回転軸４０１と第二係止溝４０２が設けられる。前記第二回転軸４０１の軸方向は、前記第二パネル３０と平行し、且つ、前記第二スライダ４０の摺動方向に垂直である。前記第二レバー６２の第二回転端６２１は、前記第二回転軸４０１に回転可能に接続される。前記第二係止溝４０２は、前記第二回転軸４０１の一方の側に位置する。前記第二係止溝４０２の延在方向は、前記第二スライダ４０の摺動方向と平行し、且つ、前記第二レバー６２の回転面内に位置する。前記第一摺動端６１２は、前記第二係止溝４０２内に摺動可能に接続される。前記第一レバー６１と前記第二レバー６２が、それぞれ、前記第一回転軸２２１と前記第二回転軸４０１周りに回転し、且つ、前記第一摺動端６１２と前記第二摺動端６２２が、それぞれ、前記第二係止溝４０２と前記第一係止溝２２１内に摺動することにより、前記第二スライダ４０に対する前記第一スライダ２０の摺動方向が前記第一パネル１０に垂直し、前記第一レバー６１と前記第二レバー６２が前記第一スライダ２０と前記第二スライダ４０をガイドする効果を奏するため、フレキシブルスクリーン拡張構造１００は、構造が一層安定である。他の実施形態において、前記第一スライダ２０にガイド孔が設けられ、前記第二スライダ４０にガイドピンが設けられてもよい。他の実施形態において、前記第一スライダ２０と前記第二スライダ４０との間に、前記第一レバー６１だけが設けられ、或いは、前記第二レバー６２だけが設けられてもよい。
【００４０】
さらに、前記第一エラストマー５０はトルクスプリングである。前記第一エラストマー５０は、一端が、前記第一レバー６１に固定され、他端が前記第二レバー６２に固定される。本実施形態において、前記第一エラストマー５０は、曲げられたワイヤから構成される。前記第一エラストマーは、第一アーム５１（図４に示す）と第二アーム５２（図４に示す）を備える。前記第一アーム５１と前記第二アーム５２が鋭角を成す。前記第一アーム５１は、前記第一レバー６１に固定され、前記第一回転端６１１に近接する。前記第二アーム５２は、前記第二レバー６２に固定され、前記第二回転端６２１に近接する。言うまでもなく、他の実施形態において、前記第一エラストマー５０が矩形スプリングである場合、前記第一エラストマー５０は、一端が前記第一回転軸２２１に固定され、他端が前記第二回転軸４０１に固定されてもよい。
【００４１】
さらに、前記第一ガイド機構１０ａは、第二エラストマー１５を備える。前記第二エラストマー１５は、前記第一スライダ２０と前記第一パネル１０との間に接続され、前記第一スライダ２０を前記第一位置または第二位置に摺動させる押圧力を提供するためのものである。
【００４２】
本実施例において、前記第一スライダ２０の接続部２１には、切欠き３１ａが形成される。前記切欠き３１ａの底端に前記第二エラストマー１５の一端が固定されて接続され、前記第二エラストマー１５の他端が前記第一スライド溝１４内に固定される。前記切欠き３１ａは、前記第二エラストマー１５を収納することが便利である。前記接続部２１と前記第一パネル１０との間には、二つの前記第二エラストマー１５が接続される。前記第二エラストマー１５は、ワイヤスプリングである。前記第二エラストマー１５は、Ｓ字状に延びる。前記二つの第二エラストマー１５は、一端がいずれも前記切欠き３１ａの底端に固定され、他端がそれぞれ前記二つの第一ガイドバー１０２に固定される。前記第一スライダ２０の接続部２１が前記第一内側壁１１に近づく場合、前記第一スライダ２０の載置部２２が前記第二エラストマー１５の力によって前記第一スライド溝１４外に自動的に摺動し、つまり、前記第一スライダ２０が前記第二エラストマー１５の弾性力によって前記第二位置に自動的に摺動することにより、前記第一パネル１０が前記第二パネル２０に対して自動的に開けられる。前記第一スライダ２０の接続部２１が前記第一外側壁１２に近づく場合、前記第一スライダ２０の載置部２２が前記第二エラストマー１５の力によって前記第一スライド溝１４に自動的に摺動し、つまり、前記第一スライダ２０が前記第一位置に自動的に摺動する。それによって、第一パネル１０が第二パネル２０に自動的に重なる。他の実施形態において、前記第二エラストマーは、矩形スプリングであってもよい。
【００４３】
さらに、前記第二ガイド機構２０ａは、第三エラストマー４５を備える。前記第三エラストマー４５は、前記第二パネル３０と前記第二スライダ４０との間に接続される。前記第三エラストマー４５は、前記第二スライダ４０を前記第三位置または第四位置に摺動させる押圧力を提供するためのものである。
【００４４】
本実施例において、前記第三エラストマー４５は、トルクスプリングである。前記第二スライダ４０と前記第二パネル３０との間には、二つの前記第三エラストマー４５が設けられる。前記二つの第三エラストマー４５は、一端がいずれも前記第二スライダ３０に固定され、他端がそれぞれ前記二つの第二ガイドバー３０２に設けられる。前記第二スライダ４０が前記第二内側壁３１に近づく場合、前記第二スライダ４０が前記第二エラストマー４５の力によって前記第二内側壁３１に自動的に近づくことにより、前記第一パネル１０が前記第二パネル３０に対して自動的に開けられる。前記第二スライダ４０が前記第二外側壁３２へ近づく場合、前記第二スライダ４０が前記第二エラストマー４５の力によって前記第二外側壁３２に自動的に近づくことにより、前記第一パネル１０が前記第二パネル３０に自動的に重なる。他の実施形態において、前記第三エラストマーは、矩形スプリングであってもよい。
【００４５】
さらに、図１と図１０を参照すると、第二実施例が提供される。本実施例は、前記第一実施例と大体同様であるが、前記第一ガイド機構１０ａが二つの並列された第一スライドロッド１７を備えるという点で相違する。前記二つの第一スライドロッド１７は、いずれも前記第一パネル１０と平行する方向に延びる。前記第一スライドロッド１７は、一端が前記第一パネル１０における前記第一上表面１３から離れた側の第一突起１７ａに固定される。前記第一スライダ２０には、二つの平行に延びる第一挿入孔２０１が設けられる。前記第一スライドロッド１７が前記第一挿入孔２０１内に挿入されることにより、前記第一スライダ２０が前記第一スライドロッド１７に摺動し、前記第一スライダ２０が前記第一突起１７ａに近づき、それによって、前記第一スライダ２０の少なくとも一部が前記第一パネル１０に重なり、つまり、前記第一スライダ２０が前記第一位置に摺動する。前記第一スライダ２０が前記第一突起１７ａから離れた場合、前記第一スライダ２０の少なくとも一部が前記第一パネル１０からずれ、つまり、前記第一スライダ２０が前記第二位置に摺動する。
【００４６】
本実施例において、前記第二ガイド機構２０ａは、前記第一ガイド機構設置１０ａと同様になるように設けられ、ここで贅言を要しない。
【００４７】
さらに、図１と図１１を参照すると、第三実施例が提供される。本実施例は、前記第一実施例と大体同様であるが、前記第一ガイド機構１０ａが第一リードスクリュー１７ｂと第一駆動機（図示せず）とを備えるという点で相違する。前記第一リードスクリュー１７ｂは、前記第一パネル１０と平行する方向に延びる。前記第一リードスクリュー１７ｂは、前記第一パネル１０に回転可能に接続される。前記第一駆動機は、前記第一リードスクリュー１７ｂを駆動する。前記第一スライダ２０には、第一ねじ孔２０２が設けられる。前記第一ねじ孔２０２は、前記第一リードスクリュー１７ｂに螺合される。前記第一駆動機は、前記第一リードスクリュー１７ｂが正回転または逆回転をするように駆動することにより、前記第一スライダ２０を前記第一パネル１０に対して摺動させ、それによって、前記第一スライダ２０が前記第一位置または前記第二位置に摺動する。
【００４８】
本実施例において、前記第二ガイド機構２０ａは、前記第一ガイド機構設置１０ａと同様になるように設けられ、ここで贅言を要しない。
【００４９】
本発明は、フレキシブルスクリーンアセンブリ（図示せず）をさらに提供する。前記フレキシブルスクリーンアセンブリは、前記フレキシブルスクリーン拡張構造１００を備える。前記フレキシブルスクリーンアセンブリは、フレキシブルディスプレイスクリーン（図示せず）をさらに備える。前記フレキシブルディスプレイスクリーンは、第一エッジ（図示せず）と前記第一エッジに対向して設けられた第二エッジ（図示せず）とを備える。前記第一エッジは、前記第一外側壁１２に固定される。前記第二エッジは、前記第二外側壁３２に固定される。それによって、前記第一パネル１０が前記第二パネル３０に対して開けられる場合、前記フレキシブルスクリーンは、表示面が広げられるため、表示サイズが増大される。前記第一パネル１０が前記第二パネル３０に重なる場合、前記フレキシブルスクリーンは、表示面が折り畳まれるため、表示サイズが低減され、携帯に便利である。
【００５０】
本発明は、端末（図示せず）をさらに提供する。前記端末は、前記フレキシブルスクリーンアセンブリと、電池と、信号入力器と、中央処理装置とを備える。前記電池（図示せず）、信号入力器（図示せず）及び前記中央処理装置（図示せず）は、いずれも、前記フレキシブルスクリーンアセンブリに取り付けられる。前記信号入力器は、前記中央処理装置に電気的に接続され、信号を受信し且つ前記中央処理装置に信号を送信するためのものである。前記フレキシブルスクリーンアセンブリは、前記中央処理装置に電気的に接続され、前記中央処理装置から信号を受信し、外部に信号を出力するためのものである。前記中央処理装置は、前記信号入力器から信号を受信し、信号処理後、前記信号出力器に送信するためのものである。前記電池は、前記中央処理装置、前記フレキシブルスクリーンアセンブリ及び前記信号入力器に電力を提供する。
【００５１】
本実施形態において、前記端末は携帯電話である。前記フレキシブルスクリーンアセンブリは、前記中央処理装置から指令信号を受信した後、外部に画像信号を出力する。前記信号入力器は、仮想ボタンであってもよく、物理ボタンであってもよい。ユーザが前記信号入力器を操作し、前記信号入力器に指令を与えた場合、前記信号入力器は、前記中央処理装置に指令信号を入力する。前記中央処理装置は、前記指令信号に対して演算処理を行い、前記端末の様々な機能を達成する。言うまでもなく、他の実施形態において、前記端末は、ブルートゥース（登録商標）音響またはタブレットであってもよい。前記信号入力器は、ブルートゥース（登録商標）受信器であってもよい。前記信号出力器は、スピーカーであってもよい。
【００５２】
本発明のフレキシブルスクリーン拡張構造、フレキシブルスクリーンアセンブリ及び端末は、前記載置部が前記第二スライダから離れ、且つ前記第一スライド溝内に摺動し、さらに、前記第一パネルが前記第二パネルに重なることにより、表示デバイスは、サイズが低減され、携帯に便利であり、また、前記載置部が前記第二スライダに近づき、且つ前記第一スライド溝外に摺動し、さらに、前記第一パネルと前記第二パネルが揃えられることにより、表示デバイスは、サイズが増大され、そして、表示サイズが増大される。
【００５３】
以上は、本発明の好適な実施形態であるが、当業者にとっては、本発明の要旨を逸脱しない範囲において様々な改良および修正が可能であり、これらの改良および修正は、特許請求の範囲に属するものとする。
【図１】
0006403891.tif 000002
【図２】
0006403891.tif 000003
【図３】
0006403891.tif 000004
【図４】
0006403891.tif 000005
【図５】
0006403891.tif 000006
【図６】
0006403891.tif 000007
【図７】
0006403891.tif 000008
【図８】
0006403891.tif 000009
【図９】
0006403891.tif 000010
【図１０】
0006403891.tif 000011
【図１１】
0006403891.tif 000012